(57)【特許請求の範囲】
【請求項１】
複数の加入者側装置が光通信網を介して局側装置と接続され、上記局側装置が上記複数の加入者側装置から出力される上り信号の帯域を当該加入者側装置のトラヒックに応じて動的に割り当てる光通信システムにおいて、上記局側装置は上記複数の加入者側装置の装置構成を考慮して上り信号の帯域割当方式を選択することを特徴とする光通信システム。
【請求項２】
局側装置は、加入者側装置から装置構成を示す構成情報を受信することを特徴とする請求項１記載の光通信システム。
【請求項３】
局側装置は、装置構成を示す構成情報の入力を受け付けることを特徴とする請求項１記載の光通信システム。
【請求項４】
局側装置は、設定済みのコネクションの通信サービスクラスと新たに設定するコネクションの通信サービスクラスが異なるとき、加入者側装置に新たな送信許可信号コードの割付が可能であることが構成情報より判明すると、新たに送信許可信号コードを割り付けて通信サービスクラス毎に上り信号の帯域を割り当てる方式を選択することを特徴とする請求項２または請求項３記載の光通信システム。
【請求項５】
局側装置は、設定済みのコネクションの通信サービスクラスと新たに設定するコネクションの通信サービスクラスが異なるとき、加入者側装置に新たな送信許可信号コードの割付が不可能であることが構成情報より判明すると、新たに送信許可信号コードを割り付けずに上り信号の帯域を割り当てる方式を選択することを特徴とする請求項２または請求項３記載の光通信システム。
【請求項６】
局側装置は、設定済みのコネクションの通信サービスクラスと新たに設定するコネクションの通信サービスクラスが同一であっても、新たな送信許可信号コードの割付要求がある場合、加入者側装置に新たな送信許可信号コードの割付が可能であることが構成情報より判明すると、新たに送信許可信号コードを割り付けて上記加入者側装置に収容される加入者毎に上り信号の帯域を割り当てる方式を選択することを特徴とする請求項２または請求項３記載の光通信システム。
【請求項７】
局側装置は、コネクションの通信サービスクラスのすべてがビットレート一定であることが構成情報より判明すると、上り信号の動的な帯域の割当を実施しないことを特徴とする請求項２または請求項３記載の光通信システム。
【請求項８】
局側装置は、設定済みの加入者インタフェースが提供する通信サービスクラスと新たに設定する加入者インタフェースが提供する通信サービスクラスが異なるとき、加入者側装置に新たな送信許可信号コードの割付が可能であることが構成情報より判明すると、新たに送信許可信号コードを割り付けて通信サービスクラス毎に上り信号の帯域を割り当てる方式を選択することを特徴とする請求項２または請求項３記載の光通信システム。
【請求項９】
局側装置は、設定済みの加入者インタフェースが提供する通信サービスクラスと新たに設定する加入者インタフェースが提供する通信サービスクラスが異なるとき、加入者側装置に新たな送信許可信号コードの割付が不可能であることが構成情報より判明すると、新たに送信許可信号コードを割り付けずに上り信号の帯域を割り当てる方式を選択することを特徴とする請求項２または請求項３記載の光通信システム。
【請求項１０】
局側装置は、設定済みの加入者インタフェースが提供する通信サービスクラスと新たに設定する加入者インタフェースが提供する通信サービスクラスが同一であっても、新たな送信許可信号コードの割付要求がある場合、加入者側装置に新たな送信許可信号コードの割付が可能であることが構成情報より判明すると、新たに送信許可信号コードを割り付けて上記加入者側装置に収容される加入者毎に上り信号の帯域を割り当てる方式を選択することを特徴とする請求項２または請求項３記載の光通信システム。
【請求項１１】
局側装置は、加入者インタフェースが提供する通信サービスクラスのすべてがビットレート一定であることが構成情報より判明すると、上り信号の動的な帯域の割当を実施しないことを特徴とする請求項２または請求項３記載の光通信システム。
【請求項１２】
局側装置は、加入者側装置が輻輳通知機能を有していることが構成情報より判明すると、輻輳通知用タイムスロットを割り付けて上記加入者側装置から送信される輻輳通知を参照して上り信号の帯域を割り当てる方式を選択することを特徴とする請求項２または請求項３記載の光通信システム。
【請求項１３】
局側装置は、加入者側装置が輻輳通知機能を有していないことが構成情報より判明すると、上記加入者側装置による上り信号の使用状況を監視して上り信号の帯域を割り当てる方式を選択することを特徴とする請求項２または請求項３記載の光通信システム。
【発明の詳細な説明】
【０００１】
【発明の属する技術分野】
この発明は、加入者側装置から出力される上り信号の帯域を動的に割り当てるＡＴＭ（Ａｓｙｎｃｈｒｏｎｏｕｓ  Ｔｒａｎｓｆｅｒ  Ｍｏｄｅ：非同期転送モード）−ＰＯＮ（Ｐａｓｓｉｖｅ  Ｏｐｔｉｃａｌ  Ｎｅｔｗｏｒｋ）システムなどの光通信システムに関するものである。
【０００２】
【従来の技術】
図４は例えば特開平１１−３４１０３７号公報に示された従来の光通信システムを示す構成図であり、図において、１は局側に配置される局側装置、２−１〜２−Ｎは加入者側に配置され、局側装置１と双方向通信を行う加入者側装置、３はスター・カプラである。
【０００３】
１１は下り信号生成部１６から出力される下り信号を電気信号から光信号に変換する一方、加入者側装置２−１〜２−Ｎから出力される上り信号を光信号から電気信号に変換するＯ／Ｅ変換部、１２は上り信号から通知メッセージを抽出する上り信号終端部、１３は上り信号終端部１２により抽出された通知メッセージを解読する輻輳検出部、１４は輻輳検出部１３の解読結果に基づいて加入者側装置２−１〜２−Ｎの上り信号の帯域を算出する帯域制御部、１５は帯域制御部１４により算出された上り信号の帯域に応じて送信許可信号コードを生成する送信許可信号コード生成部、１６は送信許可信号コード生成部１５が送信許可信号コードを生成すると、その送信許可信号コードを下り信号に合流させる下り信号生成部である。
【０００４】
２１は上り信号生成部２７から出力される上り信号を電気信号から光信号に変換する一方、局側装置１から出力される下り信号を光信号から電気信号に変換するＯ／Ｅ変換部、２２は下り信号から送信許可信号コードを抽出する下り信号終端部、２３は下り信号終端部２２により抽出された送信許可信号コードが上りデータの送信を許可するものである場合には、スケジューラ２５に対して上りデータの送信を指示し、その送信許可信号コードが通信メッセージの送信を許可するものである場合には、輻輳通知部２６に対して通信メッセージの送信を指示する送信タイミング生成部である。
【０００５】
２４−１〜２４−ｍは上りデータを格納するバッファメモリ、２５は送信タイミング生成部２３から上りデータの送信指令を受けると、バッファメモリ２４−１〜２４−ｍに格納されている上りデータをスケジューリングして出力するスケジューラ、２６は送信タイミング生成部２３から通信メッセージの送信指令を受けると、バッファメモリ２４−１〜２４−ｍに格納されている上りデータのセル数から輻輳状況を把握し、その輻輳状況を示す通信メッセージを生成して出力する輻輳通知部、２７は上りデータと通信メッセージから上り信号を生成する上り信号生成部である。
【０００６】
次に動作について説明する。
まず、局側装置１のＯ／Ｅ変換部１１は、加入者側装置２−１〜２−Ｎから上り信号を受信すると、その上り信号を光信号から電気信号に変換する。
上り信号終端部１２は、Ｏ／Ｅ変換部１１からＯ／Ｅ変換された上り信号を受けると、その上り信号から通知メッセージを抽出する。
【０００７】
輻輳検出部１３は、上り信号終端部１２が通知メッセージを抽出すると、その通知メッセージを解読する。
帯域制御部１４は、輻輳検出部１３により解読された内容から、加入者側装置２−１〜２−Ｎにおける上り信号の輻輳状況を把握し、その輻輳状況に応じて加入者側装置２−１〜２−Ｎの上り信号の帯域を算出する。即ち、輻輳度が高い加入者側装置には、割り当てる上り信号の帯域が大きくなるように、加入者側装置２−１〜２−Ｎの上り信号の帯域を算出する。
【０００８】
送信許可信号コード生成部１５は、帯域制御部１４が加入者側装置２−１〜２−Ｎの上り信号の帯域を算出すると、その上り信号の帯域に応じて送信許可信号コードを生成する。なお、上り信号の帯域が大きい程、送信許可信号コードを生成する頻度が高くなる。
下り信号生成部１６は、送信許可信号コード生成部１５が送信許可信号コードを生成すると、その送信許可信号コードを下り信号に合流させて、それらをＯ／Ｅ変換部１１に出力する。
Ｏ／Ｅ変換部１１は、送信許可信号コードが含まれている下り信号を電気信号から光信号に変換し、その下り信号を加入者側装置２−１〜２−Ｎに送信する。
【０００９】
加入者側装置２−１〜２−ＮのＯ／Ｅ変換部２１は、局側装置１から下り信号を受信すると、その下り信号を光信号から電気信号に変換する。
下り信号終端部２２は、Ｏ／Ｅ変換部２１からＯ／Ｅ変換された下り信号を受けると、その下り信号から送信許可信号コードを抽出する。
送信タイミング生成部２３は、下り信号終端部２２により抽出された送信許可信号コードが上りデータの送信を許可するものである場合には、スケジューラ２５に対して上りデータの送信を指示し、その送信許可信号コードが通信メッセージの送信を許可するものである場合には、輻輳通知部２６に対して通信メッセージの送信を指示する。
【００１０】
スケジューラ２５は、送信タイミング生成部２３から上りデータの送信指令を受けると、バッファメモリ２４−１〜２４−ｍに格納されている上りデータをスケジューリングして上り信号生成部２７に出力する。
一方、輻輳通知部２６は、送信タイミング生成部２３から通信メッセージの送信指令を受けると、バッファメモリ２４−１〜２４−ｍに格納されている上りデータのセル数から輻輳状況を把握し、その輻輳状況を示す通信メッセージを生成して上り信号生成部２７に出力する。
【００１１】
上り信号生成部２７は、上りデータと通信メッセージから上り信号を生成し、Ｏ／Ｅ変換部２１は、上り信号生成部２７から出力される上り信号を電気信号から光信号に変換し、その上り信号を局側装置１に送信する。
これにより、加入者側装置２−１〜２−Ｎから出力される上り信号の帯域を当該加入者側装置のトラヒックに応じて動的に割り当てることができる。
【００１２】
加入者側装置２−１〜２−Ｎから出力される上り信号の帯域を動的に割り当てる方法としては、上記従来例の他に特開平１１−３５５３０１号公報に示された方法もある（図５を参照）。
この場合、加入者側装置２−１〜２−Ｎには輻輳通知部２６が無く、局側装置１に配置された輻輳検出部１３が加入者側装置２−１〜２−Ｎによる上り信号の使用状況を監視することにより、加入者側装置２−１〜２−Ｎの輻輳状態を検出し、加入者側装置２−１〜２−Ｎから出力される上り信号の帯域を設定する。
【００１３】
図６は例えば特開平１１−０１７６８５号公報に示された従来の光通信システムを示す構成図であり、図６は加入者側装置２−１〜２−Ｎ内に複数のスケジューラ２５−１〜２５−ｎがある場合を示している。
この場合には、送信許可信号コードを通信サービスクラス毎、あるいは、加入者側装置に収容されるユーザ毎に区別することにより、通信サービスクラス毎、あるいは、加入者側装置に収容されるユーザ毎に独立した帯域割当を行うことが可能となる。
【００１４】
即ち、１つの加入者側装置に複数の送信許可信号コードを割り付けて、各送信許可信号コードの発生パターンを独立して変動させることにより、動的帯域割当が実現される。
なお、図７は加入者側装置２−１〜２−Ｎ内に複数のスケジューラ２５−１〜２５−ｎがあり、かつ、加入者側装置２−１〜２−Ｎ内に輻輳通知部２６がある例を示している。
【００１５】
【発明が解決しようとする課題】
従来の光通信システムは以上のように構成されているので、輻輳通知部２６を有する加入者側装置２−１〜２−Ｎの他、輻輳通知部２６を有しない加入者側装置２−１〜２−Ｎが存在する場合がある。また、スケジューラ２５を１つだけ有する加入者側装置２−１〜２−Ｎの他、スケジューラ２５を複数有する加入者側装置２−１〜２−Ｎが存在する場合がある。したがって、装置構成が相互に異なる複数の加入者側装置２−１〜２−Ｎが局側装置１に接続される可能性があるが、加入者側装置２−１〜２−Ｎの装置構成が異なると、上り信号の動的な帯域の割当を実現することができない課題があった。
【００１６】
即ち、局側装置１は同一構成の加入者側装置２−１〜２−Ｎが接続されることを前提にしているので、複数の帯域割当方式を実現することができず、加入者側装置２−１〜２−Ｎの装置構成が異なると、上り信号の動的な帯域の割当を実現することができなかった。
【００１７】
この発明は上記のような課題を解決するためになされたもので、装置構成が相互に異なる複数の加入者側装置が局側装置に接続される場合でも、上り信号の動的な帯域の割当を実現することができる光通信システムを得ることを目的とする。
【００１８】
【課題を解決するための手段】
この発明に係る光通信システムは、局側装置が複数の加入者側装置の装置構成を考慮して上り信号の帯域割当方式を選択するようにしたものである。
【００１９】
この発明に係る光通信システムは、局側装置が加入者側装置から装置構成を示す構成情報を受信するようにしたものである。
【００２０】
この発明に係る光通信システムは、局側装置が装置構成を示す構成情報の入力を受け付けるようにしたものである。
【００２１】
この発明に係る光通信システムは、設定済みのコネクションの通信サービスクラスと新たに設定するコネクションの通信サービスクラスが異なるとき、加入者側装置に新たな送信許可信号コードの割付が可能であることが構成情報より判明すると、新たに送信許可信号コードを割り付けて通信サービスクラス毎に上り信号の帯域を割り当てる方式を選択するようにしたものである。
【００２２】
この発明に係る光通信システムは、設定済みのコネクションの通信サービスクラスと新たに設定するコネクションの通信サービスクラスが異なるとき、加入者側装置に新たな送信許可信号コードの割付が不可能であることが構成情報より判明すると、新たに送信許可信号コードを割り付けずに上り信号の帯域を割り当てる方式を選択するようにしたものである。
【００２３】
この発明に係る光通信システムは、設定済みのコネクションの通信サービスクラスと新たに設定するコネクションの通信サービスクラスが同一であっても、新たな送信許可信号コードの割付要求がある場合、加入者側装置に新たな送信許可信号コードの割付が可能であることが構成情報より判明すると、新たに送信許可信号コードを割り付けて加入者側装置に収容される加入者毎に上り信号の帯域を割り当てる方式を選択するようにしたものである。
【００２４】
この発明に係る光通信システムは、コネクションの通信サービスクラスのすべてがビットレート一定であることが構成情報より判明すると、上り信号の動的な帯域の割当を実施しないようにしたものである。
【００２５】
この発明に係る光通信システムは、設定済みの加入者インタフェースが提供する通信サービスクラスと新たに設定する加入者インタフェースが提供する通信サービスクラスが異なるとき、加入者側装置に新たな送信許可信号コードの割付が可能であることが構成情報より判明すると、新たに送信許可信号コードを割り付けて通信サービスクラス毎に上り信号の帯域を割り当てる方式を選択するようにしたものである。
【００２６】
この発明に係る光通信システムは、設定済みの加入者インタフェースが提供する通信サービスクラスと新たに設定する加入者インタフェースが提供する通信サービスクラスが異なるとき、加入者側装置に新たな送信許可信号コードの割付が不可能であることが構成情報より判明すると、新たに送信許可信号コードを割り付けずに上り信号の帯域を割り当てる方式を選択するようにしたものである。
【００２７】
この発明に係る光通信システムは、設定済みの加入者インタフェースが提供する通信サービスクラスと新たに設定する加入者インタフェースが提供する通信サービスクラスが同一であっても、新たな送信許可信号コードの割付要求がある場合、加入者側装置に新たな送信許可信号コードの割付が可能であることが構成情報より判明すると、新たに送信許可信号コードを割り付けて加入者側装置に収容される加入者毎に上り信号の帯域を割り当てる方式を選択するようにしたものである。
【００２８】
この発明に係る光通信システムは、加入者インタフェースが提供する通信サービスクラスのすべてがビットレート一定であることが構成情報より判明すると、上り信号の動的な帯域の割当を実施しないようにしたものである。
【００２９】
この発明に係る光通信システムは、加入者側装置が輻輳通知機能を有していることが構成情報より判明すると、輻輳通知用タイムスロットを割り付けて加入者側装置から送信される輻輳通知を参照して上り信号の帯域を割り当てる方式を選択するようにしたものである。
【００３０】
この発明に係る光通信システムは、加入者側装置が輻輳通知機能を有していないことが構成情報より判明すると、加入者側装置による上り信号の使用状況を監視して上り信号の帯域を割り当てる方式を選択するようにしたものである。
【００３１】
【発明の実施の形態】
以下、この発明の実施の一形態を説明する。
実施の形態１．
図１はこの発明の実施の形態１による光通信システムを示す構成図であり、図において、３１は局側に配置される局側装置、３２−１〜３２−Ｎは加入者側に配置され、局側装置３１と双方向通信を行う加入者側装置、３３はスター・カプラである。
【００３２】
４１は下り信号生成部４８から出力される下り信号を電気信号から光信号に変換する一方、加入者側装置３２−１〜３２−Ｎから出力される上り信号を光信号から電気信号に変換するＯ／Ｅ変換部、４２は上り信号から通知メッセージを抽出する上り信号終端部、４３は上り信号終端部４２により抽出された通知メッセージを解読する輻輳検出部、４４は加入者側装置３２−１〜３２−Ｎから送信された装置構成を示す構成情報を受信する構成情報収集部、４５は装置構成を示す構成情報のオペレータ入力を受け付ける入力部である。
【００３３】
４６は加入者側装置３２−１〜３２−Ｎの装置構成を考慮して上り信号の帯域割当方式を選択し、その帯域割当方式を実行して加入者側装置３２−１〜３２−Ｎの上り信号の帯域を算出する帯域制御部、４７は帯域制御部４６により算出された上り信号の帯域に応じて送信許可信号コードを生成する送信許可信号コード生成部、４８は送信許可信号コード生成部４７が送信許可信号コードを生成すると、その送信許可信号コードを下り信号に合流させる下り信号生成部である。
【００３４】
５１は上り信号生成部５７から出力される上り信号を電気信号から光信号に変換する一方、局側装置３１から出力される下り信号を光信号から電気信号に変換するＯ／Ｅ変換部、５２は下り信号から送信許可信号コードを抽出する下り信号終端部、５３は下り信号終端部５２により抽出された送信許可信号コードが上りデータの送信を許可するものである場合には、スケジューラ５５−１等に対して上りデータの送信を指示し、その送信許可信号コードが通信メッセージの送信を許可するものである場合には、輻輳通知部５６に対して通信メッセージの送信を指示する送信タイミング生成部である。
【００３５】
５４−１〜５４−ｍは上りデータを格納するバッファメモリ、５５−１〜５５−ｎは送信タイミング生成部５３から上りデータの送信指令を受けると、バッファメモリ５４−１〜５４−ｍに格納されている上りデータをスケジューリングして出力するスケジューラ、５６は送信タイミング生成部５３から通信メッセージの送信指令を受けると、バッファメモリ５４−１〜５４−ｍに格納されている上りデータのセル数から輻輳状況を把握し、その輻輳状況を示す通信メッセージを生成して出力する輻輳通知部、５７は上りデータと通信メッセージから上り信号を生成する上り信号生成部、５８は当該加入者側装置の装置構成を示す構成情報を送信する構成情報提供部である。
図２は帯域制御部４６の処理内容を示すフローチャートである。
【００３６】
次に動作について説明する。
局側装置３１が加入者側装置３２−１〜３２−Ｎと双方向通信を開始する場合、局側装置３１の帯域制御部４６は、入力部４５が加入者側装置３２−１〜３２−Ｎの装置構成を示す構成情報のオペレータ入力を受け付けているか否かを判定する（ステップＳＴ１）。ここでは、説明の便宜上、オペレータ入力を受け付けていないものとする。
【００３７】
帯域制御部４６は、入力部４５がオペレータ入力を受け付けていない場合、加入者側装置３２−１〜３２−Ｎとリンクを確立し（ステップＳＴ２）、構成情報収集部４４から構成情報の送信要求を加入者側装置３２−１〜３２−Ｎに送信させる。
加入者側装置３２−１〜３２−Ｎの構成情報提供部５８は、局側装置３１から構成情報の送信要求を受信すると、当該加入者側装置の装置構成を示す構成情報を局側装置３１に送信する。
これにより、構成情報収集部４４が構成情報を受信すると、帯域制御部４６は、加入者側装置３２−１〜３２−Ｎに係る構成情報を保持する（ステップＳＴ３，ＳＴ４）。なお、構成情報のオペレータ入力を受け付けている場合には、その構成情報を保持する。
【００３８】
次に、帯域制御部４６は、例えば、新たなコネクションの設定や加入者インタフェースの設定の受付を開始する（ステップＳＴ５）。ここでは、説明の便宜上、既にＣＢＲのコネクション（ビットレート一定のコネクション）が設定済みの状態において、ＶＢＲのコネクション（ビットレート可変のコネクション）の設定を受け付けたものとする。
【００３９】
次に、帯域制御部４６は、設定の受付内容がコネクション設定であるか否かを判定し（ステップＳＴ６）、コネクション設定以外のときはステップＳＴ７に進み、コネクション設定のときはステップＳＴ８に進む。ここでは、ＶＢＲのコネクションの設定を受け付けているので、ステップＳＴ８に進む。
【００４０】
ステップＳＴ８では、加入者側装置３２−１〜３２−Ｎに係る構成情報を参照して、同一の通信サービスクラスが既に設定されているか否かを判定する。即ち、加入者側装置３２−１〜３２−ＮにＶＢＲのコネクションが既に設定されているか否かを判定する。この例では、ＣＢＲのコネクションのみが設定されているので、同一の通信サービスクラスが既に設定されていないと判定される。
また、帯域制御部４６は、オペレータから送信許可信号コードの割付要求を受け付けているか否かを判定する。ここでは、説明の便宜上、オペレータから送信許可信号コードの割付要求を受け付けているものとする。
【００４１】
帯域制御部４６は、同一の通信サービスクラスが既に設定されておらず、あるいは、送信許可信号コードの割付要求を受け付けていると、加入者側装置３２−１〜３２−Ｎに係る構成情報を参照して、新たに送信許可信号コードを割り付けることが可能であるか否かを判定する（ステップＳＴ９）。因みに加入者側装置３２−２は、スケジューラが１つだけであるので、新たに送信許可信号コードを割り付けることができないと判定されるが、加入者側装置３２−１は、スケジューラを複数有しているので、新たに送信許可信号コードを割り付けることができると判定される。
【００４２】
帯域制御部４６は、新たに送信許可信号コードを割り付けることが可能であると判明した加入者側装置、即ち、加入者側装置３２−１に対して新たな送信許可信号コードの追加割付を実行する（ステップＳＴ１０）。加入者側装置３２−２には新たな送信許可信号コードの追加割付が行われない。
【００４３】
次に、帯域制御部４６は、新たに設定するコネクションがＣＢＲであるか否かを判定する（ステップＳＴ１１）。新たに設定するコネクションがＶＢＲである場合、ＶＢＲはトラヒックが変動する関係上、追加割付された送信許可信号コードの発生頻度を動的に変更する方が帯域の使用効率が良いので、ステップＳＴ１２に進む。
【００４４】
ステップＳＴ１２では、加入者側装置３２−１〜３２−Ｎに係る構成情報を参照して、加入者側装置３２−１〜３２−Ｎが輻輳通知部５６を備えているか否かを判定する。因みに加入者側装置３２−１は輻輳通知部５６を備えていると判定され、加入者側装置３２−２は輻輳通知部５６を備えていないと判定される。
【００４５】
帯域制御部４６は、輻輳通知部５６を備えていることが判明した加入者側装置、即ち、加入者側装置３２−１に対して輻輳通知用タイムスロットを割り付ける処理を実行する（ステップＳＴ１３）。これにより、上り信号の帯域を動的に割り当てる際には、輻輳通知部５６から送信される通信メッセージ（輻輳通知）を参照して割当処理を実行することになる。
【００４６】
一方、輻輳通知部５６を備えていないことが判明した加入者側装置、即ち、加入者側装置３２−２に対しては輻輳通知用タイムスロットを割り付けず、輻輳検出部４３に対して加入者側装置３２−１〜３２−Ｎによる上り信号の使用状況の監視を開始させる（ステップＳＴ１４）。これにより、上り信号の帯域を動的に割り当てる際には、上り信号の使用状況を考慮して割当処理を実行することになる。
最後に、加入者側装置３２−１〜３２−ＮにＶＢＲのコネクションを設定して、一連の処理を終了する（ステップＳＴ１５）。
【００４７】
以上で明らかなように、この実施の形態１によれば、局側装置３１が加入者側装置３２−１〜３２−Ｎの装置構成を考慮して上り信号の帯域割当方式を選択するように構成したので、装置構成が相互に異なる複数の加入者側装置が局側装置３１に接続される場合でも、上り信号の動的な帯域の割当を実現することができる効果を奏する。
【００４８】
実施の形態２．
上記実施の形態１では、設定済みのコネクションの通信サービスクラスと新たに設定するコネクションの通信サービスクラスが異なる場合について示したが、設定済みのコネクションの通信サービスクラスと新たに設定するコネクションの通信サービスクラスが同一であっても、新たな送信許可信号コードの割付要求がある場合、加入者側装置３２−１〜３２−Ｎに新たな送信許可信号コードの割付が可能であることが構成情報より判明すると、新たに送信許可信号コードを割り付けて加入者側装置３２−１〜３２−Ｎに収容される加入者毎に上り信号の帯域を割り当てる方式を選択するようにしてもよい。
【００４９】
具体的には、例えば、既にＶＢＲのコネクションが設定済みの状態において、ＶＢＲのコネクションの設定を受け付けた場合、新たな送信許可信号コードの割付要求が無ければ、ステップＳＴ８よりステップＳＴ１５に進むが、新たな送信許可信号コードの割付要求があれば、ステップＳＴ８よりステップＳＴ９に進む。以降、上記実施の形態１と同様の処理を実施する。
これにより、オペレータが新たな送信許可信号コードの割付を希望する場合には、加入者側装置に収容される加入者毎に独立した上り信号の帯域の割当方式を提供することができる効果を奏する。
【００５０】
実施の形態３．
上記実施の形態１では、既にＣＢＲのコネクションが設定済みの状態において、ＶＢＲのコネクションの設定を受け付けた場合について示したが、既にＣＢＲのコネクションが設定済みの状態において、ＣＢＲのコネクションの設定を受け付けた場合には、上り信号の動的な帯域の割当を実施しないようにしてもよい。即ち、コネクションの通信サービスクラスのすべてがビットレート一定である場合、上り信号の動的な帯域の割当を実施する必要性がないので、ステップＳＴ１３，ＳＴ１４の処理をスキップするようにする。
これにより、輻輳通知用タイムスロットが割り当てられないので、上り信号の帯域の有効利用を図ることができる効果を奏する。
【００５１】
実施の形態４．
上記実施の形態１〜３では、新たにコネクションを設定するものについて示したが、新たに加入者インタフェースを設定するようにしてもよい。
図３は帯域制御部４６の処理内容を示すフローチャートである。
【００５２】
次に動作について説明する。
局側装置３１が加入者側装置３２−１〜３２−Ｎと双方向通信を開始する場合、局側装置３１の帯域制御部４６は、入力部４５が加入者側装置３２−１〜３２−Ｎの装置構成を示す構成情報のオペレータ入力を受け付けているか否かを判定する（ステップＳＴ２１）。ここでは、説明の便宜上、オペレータ入力を受け付けていないものとする。
【００５３】
帯域制御部４６は、入力部４５がオペレータ入力を受け付けていない場合、加入者側装置３２−１〜３２−Ｎとリンクを確立し（ステップＳＴ２２）、構成情報収集部４４から構成情報の送信要求を加入者側装置３２−１〜３２−Ｎに送信させる。
加入者側装置３２−１〜３２−Ｎの構成情報提供部５８は、局側装置３１から構成情報の送信要求を受信すると、当該加入者側装置の装置構成を示す構成情報を局側装置３１に送信する。
これにより、構成情報収集部４４が構成情報を受信すると、帯域制御部４６は、加入者側装置３２−１〜３２−Ｎに係る構成情報を保持する（ステップＳＴ２３，ＳＴ２４）。なお、構成情報のオペレータ入力を受け付けている場合には、その構成情報を保持する。
【００５４】
次に、帯域制御部４６は、例えば、新たなコネクションの設定や加入者インタフェースの設定の受付を開始する（ステップＳＴ２５）。ここでは、説明の便宜上、既に音声等のＣＢＲ加入者インタフェースが設定済みの状態において、ＬＡＮ  ＩＦのようなＵＢＲ（Ｕｎｓｐｅｃｉｆｉｅｄ  Ｂｉｔ  Ｒａｔｅ）加入者インタフェースの設定を受け付けたものとする。
【００５５】
次に、帯域制御部４６は、設定の受付内容が加入者インタフェース設定であるか否かを判定し（ステップＳＴ２６）、加入者インタフェース設定以外のときはステップＳＴ２７に進み、加入者インタフェース設定のときはステップＳＴ２８に進む。ここでは、ＵＢＲ加入者インタフェースの設定を受け付けているので、ステップＳＴ２８に進む。
【００５６】
ステップＳＴ２８では、加入者側装置３２−１〜３２−Ｎに係る構成情報を参照して、通信サービスクラスが同一の加入者インタフェースが既に設定されているか否かを判定する。即ち、加入者側装置３２−１〜３２−ＮにＵＢＲ加入者インタフェースが既に設定されているか否かを判定する。この例では、ＣＢＲ加入者インタフェースのみが設定されているので、通信サービスクラスが同一の加入者インタフェースが既に設定されていないと判定される。
また、帯域制御部４６は、オペレータから送信許可信号コードの割付要求を受け付けているか否かを判定する。ここでは、説明の便宜上、オペレータから送信許可信号コードの割付要求を受け付けているものとする。
【００５７】
帯域制御部４６は、通信サービスクラスが同一の加入者インタフェースが既に設定されておらず、あるいは、送信許可信号コードの割付要求を受け付けていると、加入者側装置３２−１〜３２−Ｎに係る構成情報を参照して、新たに送信許可信号コードを割り付けることが可能であるか否かを判定する（ステップＳＴ２９）。因みに加入者側装置３２−２は、スケジューラが１つだけであるので、新たに送信許可信号コードを割り付けることができないと判定されるが、加入者側装置３２−１は、スケジューラを複数有しているので、新たに送信許可信号コードを割り付けることができると判定される。
【００５８】
帯域制御部４６は、新たに送信許可信号コードを割り付けることが可能であると判明した加入者側装置、即ち、加入者側装置３２−１に対して新たな送信許可信号コードの追加割付を実行する（ステップＳＴ３０）。加入者側装置３２−２には新たな送信許可信号コードの追加割付が行われない。
【００５９】
次に、帯域制御部４６は、新たに設定する加入者インタフェースがＣＢＲであるか否かを判定する（ステップＳＴ３１）。新たに設定する加入者インタフェースがＵＢＲである場合、ＵＢＲはトラヒックが変動する関係上、追加割付された送信許可信号コードの発生頻度を動的に変更する方が帯域の使用効率が良いので、ステップＳＴ３２に進む。
【００６０】
ステップＳＴ３２では、加入者側装置３２−１〜３２−Ｎに係る構成情報を参照して、加入者側装置３２−１〜３２−Ｎが輻輳通知部５６を備えているか否かを判定する。因みに加入者側装置３２−１は輻輳通知部５６を備えていると判定され、加入者側装置３２−２は輻輳通知部５６を備えていないと判定される。
【００６１】
帯域制御部４６は、輻輳通知部５６を備えていることが判明した加入者側装置、即ち、加入者側装置３２−１に対して輻輳通知用タイムスロットを割り付ける処理を実行する（ステップＳＴ３３）。これにより、上り信号の帯域を動的に割り当てる際には、輻輳通知部５６から送信される通信メッセージ（輻輳通知）を参照して割当処理を実行することになる。
【００６２】
一方、輻輳通知部５６を備えていないことが判明した加入者側装置、即ち、加入者側装置３２−２に対しては輻輳通知用タイムスロットを割り付けず、輻輳検出部４３に対して加入者側装置３２−１〜３２−Ｎによる上り信号の使用状況の監視を開始させる（ステップＳＴ３４）。これにより、上り信号の帯域を動的に割り当てる際には、上り信号の使用状況を考慮して割当処理を実行することになる。
最後に、加入者側装置３２−１〜３２−ＮにＵＢＲ加入者インタフェースを設定して、一連の処理を終了する（ステップＳＴ３５）。
【００６３】
以上で明らかなように、この実施の形態４によれば、設定済みの加入者インタフェースが提供する通信サービスクラスと新たに設定する加入者インタフェースが提供する通信サービスクラスが異なるとき、加入者側装置３２−１〜３２−Ｎに新たな送信許可信号コードの割付が可能であることが構成情報より判明すると、新たに送信許可信号コードを割り付けて通信サービスクラス毎に上り信号の帯域を割り当てる方式を選択するように構成したので、通信サービスクラス毎に独立した上り信号の帯域の割当方式を提供することができる効果を奏する。
【００６４】
また、この実施の形態４によれば、設定済みの加入者インタフェースが提供する通信サービスクラスと新たに設定する加入者インタフェースが提供する通信サービスクラスが異なるとき、加入者側装置３２−１〜３２−Ｎに新たな送信許可信号コードの割付が不可能であることが構成情報より判明すると、新たに送信許可信号コードを割り付けずに上り信号の帯域を割り当てる方式を選択するように構成したので、加入者側装置の装置構成に適する帯域割当方式を実現することができる効果を奏する。
【００６５】
実施の形態５．
上記実施の形態１では、設定済みの加入者インタフェースが提供する通信サービスクラスと新たに設定する加入者インタフェースが提供する通信サービスクラスが異なる場合について示したが、設定済みの加入者インタフェースが提供する通信サービスクラスと新たに設定する加入者インタフェースが提供する通信サービスクラスが同一であっても、新たな送信許可信号コードの割付要求がある場合、加入者側装置３２−１〜３２−Ｎに新たな送信許可信号コードの割付が可能であることが構成情報より判明すると、新たに送信許可信号コードを割り付けて加入者側装置３２−１〜３２−Ｎに収容される加入者毎に上り信号の帯域を割り当てる方式を選択するようにしてもよい。
【００６６】
具体的には、例えば、既にＶＢＲ加入者インタフェースが設定済みの状態において、ＶＢＲ加入者インタフェースの設定を受け付けた場合、新たな送信許可信号コードの割付要求が無ければ、ステップＳＴ２８よりステップＳＴ３５に進むが、新たな送信許可信号コードの割付要求があれば、ステップＳＴ２８よりステップＳＴ２９に進む。以降、上記実施の形態４と同様の処理を実施する。
これにより、オペレータが新たな送信許可信号コードの割付を希望する場合には、加入者側装置に収容される加入者毎に独立した上り信号の帯域の割当方式を提供することができる効果を奏する。
【００６７】
実施の形態６．
上記実施の形態４では、既にＣＢＲ加入者インタフェースが設定済みの状態において、ＶＢＲ加入者インタフェースの設定を受け付けた場合について示したが、既にＣＢＲ加入者インタフェースが設定済みの状態において、ＣＢＲ加入者インタフェースの設定を受け付けた場合には、上り信号の動的な帯域の割当を実施しないようにしてもよい。
即ち、加入者インタフェースが提供する通信サービスクラスのすべてがビットレート一定である場合、上り信号の動的な帯域の割当を実施する必要性がないので、ステップＳＴ３３，ＳＴ３４の処理をスキップするようにする。
これにより、輻輳通知用タイムスロットが割り当てられないので、上り信号の帯域の有効利用を図ることができる効果を奏する。
【００６８】
【発明の効果】
以上のように、この発明によれば、局側装置が複数の加入者側装置の装置構成を考慮して上り信号の帯域割当方式を選択するように構成したので、装置構成が相互に異なる複数の加入者側装置が局側装置に接続される場合でも、上り信号の動的な帯域の割当を実現することができる効果がある。
【００６９】
この発明によれば、局側装置が加入者側装置から装置構成を示す構成情報を受信するように構成したので、加入者側装置の装置構成を把握することができる効果がある。
【００７０】
この発明によれば、局側装置が装置構成を示す構成情報の入力を受け付けるように構成したので、加入者側装置の装置構成を把握することができる効果がある。
【００７１】
この発明によれば、設定済みのコネクションの通信サービスクラスと新たに設定するコネクションの通信サービスクラスが異なるとき、加入者側装置に新たな送信許可信号コードの割付が可能であることが構成情報より判明すると、新たに送信許可信号コードを割り付けて通信サービスクラス毎に上り信号の帯域を割り当てる方式を選択するように構成したので、通信サービスクラス毎に独立した上り信号の帯域の割当方式を提供することができる効果がある。
【００７２】
この発明によれば、設定済みのコネクションの通信サービスクラスと新たに設定するコネクションの通信サービスクラスが異なるとき、加入者側装置に新たな送信許可信号コードの割付が不可能であることが構成情報より判明すると、新たに送信許可信号コードを割り付けずに上り信号の帯域を割り当てる方式を選択するように構成したので、加入者側装置の装置構成に適する帯域割当方式を実現することができる効果がある。
【００７３】
この発明によれば、設定済みのコネクションの通信サービスクラスと新たに設定するコネクションの通信サービスクラスが同一であっても、新たな送信許可信号コードの割付要求がある場合、加入者側装置に新たな送信許可信号コードの割付が可能であることが構成情報より判明すると、新たに送信許可信号コードを割り付けて加入者側装置に収容される加入者毎に上り信号の帯域を割り当てる方式を選択するように構成したので、オペレータが新たな送信許可信号コードの割付を希望する場合には、加入者側装置に収容される加入者毎に独立した上り信号の帯域の割当方式を提供することができる効果がある。
【００７４】
この発明によれば、コネクションの通信サービスクラスのすべてがビットレート一定であることが構成情報より判明すると、上り信号の動的な帯域の割当を実施しないように構成したので、上り信号の帯域の有効利用を図ることができる効果がある。
【００７５】
この発明によれば、設定済みの加入者インタフェースが提供する通信サービスクラスと新たに設定する加入者インタフェースが提供する通信サービスクラスが異なるとき、加入者側装置に新たな送信許可信号コードの割付が可能であることが構成情報より判明すると、新たに送信許可信号コードを割り付けて通信サービスクラス毎に上り信号の帯域を割り当てる方式を選択するように構成したので、通信サービスクラス毎に独立した上り信号の帯域の割当方式を提供することができる効果がある。
【００７６】
この発明によれば、設定済みの加入者インタフェースが提供する通信サービスクラスと新たに設定する加入者インタフェースが提供する通信サービスクラスが異なるとき、加入者側装置に新たな送信許可信号コードの割付が不可能であることが構成情報より判明すると、新たに送信許可信号コードを割り付けずに上り信号の帯域を割り当てる方式を選択するように構成したので、加入者側装置の装置構成に適する帯域割当方式を実現することができる効果がある。
【００７７】
この発明によれば、設定済みの加入者インタフェースが提供する通信サービスクラスと新たに設定する加入者インタフェースが提供する通信サービスクラスが同一であっても、新たな送信許可信号コードの割付要求がある場合、加入者側装置に新たな送信許可信号コードの割付が可能であることが構成情報より判明すると、新たに送信許可信号コードを割り付けて加入者側装置に収容される加入者毎に上り信号の帯域を割り当てる方式を選択するように構成したので、オペレータが新たな送信許可信号コードの割付を希望する場合には、加入者側装置に収容される加入者毎に独立した上り信号の帯域の割当方式を提供することができる効果がある。
【００７８】
この発明によれば、加入者インタフェースが提供する通信サービスクラスのすべてがビットレート一定であることが構成情報より判明すると、上り信号の動的な帯域の割当を実施しないように構成したので、上り信号の帯域の有効利用を図ることができる効果がある。
【００７９】
この発明によれば、加入者側装置が輻輳通知機能を有していることが構成情報より判明すると、輻輳通知用タイムスロットを割り付けて加入者側装置から送信される輻輳通知を参照して上り信号の帯域を割り当てる方式を選択するように構成したので、上り信号の動的な帯域の割当を実現することができる効果がある。
【００８０】
この発明によれば、加入者側装置が輻輳通知機能を有していないことが構成情報より判明すると、加入者側装置による上り信号の使用状況を監視して上り信号の帯域を割り当てる方式を選択するように構成したので、上り信号の動的な帯域の割当を実現することができる効果がある。
【図面の簡単な説明】
【図１】  この発明の実施の形態１による光通信システムを示す構成図である。
【図２】  帯域制御部の処理内容を示すフローチャートである。
【図３】  帯域制御部の処理内容を示すフローチャートである。
【図４】  従来の光通信システムを示す構成図である。
【図５】  従来の光通信システムを示す構成図である。
【図６】  従来の光通信システムを示す構成図である。
【図７】  従来の光通信システムを示す構成図である。
【符号の説明】
３１  局側装置、３２−１〜３２−Ｎ  加入者側装置、３３  スター・カプラ、４１  Ｏ／Ｅ変換部、４２  上り信号終端部、４３  輻輳検出部、４４  構成情報収集部、４５  入力部、４６  帯域制御部、４７  送信許可信号コード生成部、４８  下り信号生成部、５１  Ｏ／Ｅ変換部、５２  下り信号終端部、５３送信タイミング生成部、５４−１〜５４−ｍ  バッファメモリ、５５−１〜５５−ｎ  スケジューラ、５６  輻輳通知部、５７  上り信号生成部、５８  構成情報提供部。
【図１】
0003693932.tif 000002
【図２】
0003693932.tif 000003
【図３】
0003693932.tif 000004
【図４】
0003693932.tif 000005
【図５】
0003693932.tif 000006
【図６】
0003693932.tif 000007
【図７】
0003693932.tif 000008